(57)【要約】      （修正有）【課題】ハトメと座金をハンマーと上下駒及び補助具のみを用いて人力でかしめる簡便な方法及びそれに使用する取付具を提供する。【解決手段】下駒１と、上駒２と、上下駒に挿入可能なパイロットピン３を有するハトメ取付具である。下駒は、上部表面に設けた、座金５又はハトメ６を密着させることのできる下側窪み１１と、その下側窪みの中央に設けた下向きの細い円筒状の下側非貫通穴１２を有する。上駒は、下部表面に設けた、ハトメ又は座金を密着させることのできる上側窪み２１と、その上側窪みの中央に設けた上向きの細い円筒状の上側穴２２を有する。パイロットピンは、なだらかにふくらむ先端側の曲線部３２と、上下駒の円筒状穴に密着する直径を有する、ほぼストレートな後端側の円柱部３３からなる。【選択図】図１
2013104144.tif 000002
【特許請求の範囲】
【請求項１】
下駒（１，１Ａ）と、上駒（２，２Ａ）と、前記下駒（１，１Ａ）及び前記上駒（２，２Ａ）に挿入可能なパイロットピン（３，３Ａ）を有するハトメ取付具であって、  
前記下駒（１，１Ａ）は、上部表面に設けた、座金（５）又はハトメ（６）を密着させることのできる下側窪み（１１，１１Ａ）と、その下側窪み（１１，１１Ａ）の中央に設けた下向きの細い円筒状の下側非貫通穴（１２，１２Ａ）を有し、
前記上駒（２，２Ａ）は、下部表面に設けた、ハトメ（６）又は座金（５）を密着させることのできる上側窪み（２１，２１Ａ）と、その上側窪み（２１，２１Ａ）の中央に設けた上向きの細い円筒状の上側穴（２２，２２Ａ）を有し、
前記パイロットピン（３，３Ａ）は、なだらかにふくらむ先端側の曲線部（３２，３２Ａ）と、前記上下駒の前記円筒状穴（１２，１２Ａ；２２，２２Ａ）に密着する直径を有する、ほぼストレートな後端側の円柱部（３３，３３Ａ）からなる
ことを特徴とするハトメ取付具。
【請求項２】
上部表面に設けた、座金（５）又はハトメ（６）を密着させることのできる下側窪み（１１，１１Ａ）と、その下側窪み（１１，１１Ａ）の中央に設けた下向きの細い円筒状の下側非貫通穴（１２，１２Ａ）を有する下駒（１，１Ａ）と、
下部表面に設けた、ハトメ又は座金を密着させることのできる上側窪み（２１，２１Ａ）と、その上側窪み（２１，２１Ａ）の中央に設けた上向きの細い円筒状の上側穴（２２，２２Ａ）を有する上駒（２，２Ａ）と、
なだらかにふくらむ先端側の曲線部（３２，３２Ａ）と、前記上下駒の円筒状非貫通穴（１２，１２Ａ；２２，２２Ａ）に密着する直径を有する、ほぼストレートな後端側の円柱部（３３，３３Ａ）からなるパイロットピン（３，３Ａ）と、
を使用するハトメ取付方法であって、  
前記パイロットピン（３，３Ａ）の下端を下にして前記下駒の非貫通穴（１２，１２Ａ）に差し込む工程と、
前記パイロットピン（３，３Ａ）の上から生地（４）を押し当て前記パイロットピン（３，３Ａ）の先端部で前記生地（４）を突き刺し貫通させる工程と、
いったん生地（４）付きの前記パイロットピン（３，３Ａ）を前記非貫通孔（１２，１２Ａ）から抜き取り、前記下駒（１，１Ａ）の窪み（１１，１１Ａ）に座金（５）を載置させる工程と、
生地付きの前記パイロットピン（３，３Ａ）を再び前記下駒（１，１Ａ）の前記非貫通穴（１２，１２Ａ）に差し込み、前記生地（４）の上にハトメ（６）を載置する工程と、
前記パイロットピン（３，３Ａ）の露出している部分に前記上駒（２，２Ａ）を被せる工程と、
前記上駒（２，２Ａ）の頭部をハンマー（７）でたたく工程を有する
ことを特徴とするハトメ取付方法。
【請求項３】
下駒（１Ｂ，１Ｃ）と、上駒（２Ｂ，２Ｃ）と、前記下駒（１Ｂ，１Ｃ）及び前記上駒（２Ｂ，２Ｃ）に挿入可能なポンス（８）を有するハトメ取付具であって、  
前記下駒（１Ｂ，１Ｃ）は、上部表面に設けた、座金（５）又はハトメ（６）を密着させることのできる下側窪み（１１Ｂ，１１Ｃ）と、その下側窪み（１１Ｂ，１１Ｃ）の中央に設けた下向きの細い円筒状の下側非貫通穴（１２Ｂ，１２Ｃ）を有し、
前記上駒（２Ｂ，２Ｃ）は、下部表面に設けた、ハトメ又は座金を密着させることのできる上側窪み（２１Ｂ，２１Ｃ）と、その上側窪み（２１Ｂ，２１Ｃ）の中央に設けた上向きの細い円筒状の上側穴（２２Ｂ，２２Ｃ）を有し、
前記ポンス（８）は、先端の穴開け部分（８１）と、前記上下駒の前記円筒状穴（１２Ｂ，１２Ｃ；２２Ｂ，２２Ｃ）に密着する直径を有する細長い円柱部（８２）からなる
ことを特徴とするハトメ取付具。
【請求項４】
上部表面に設けた、座金（５）又はハトメ（６）を密着させることのできる下側窪み（１１Ｂ，１１Ｃ）と、その下側窪み（１１Ｂ，１１Ｃ）の中央に設けた下向きの細い円筒状の下側非貫通穴（１２Ｂ，１２Ｃ）を有する下駒（１Ｂ，１Ｃ）と、
下部表面に設けた、ハトメ又は座金を密着させることのできる上側窪み（２１Ｂ，２１Ｃ）と、その上側窪み（２１Ｂ，２１Ｃ）の中央に設けた上向きの細い円筒状の上側穴（２２Ｂ，２２Ｃ）を有する上駒（２Ｂ，２Ｃ）と、
先端の穴開け部分（８１）と、前記上下駒の円筒状非貫通穴（１２Ｂ，１２Ｃ；２２Ｂ，２２Ｃ）に密着する直径を有する細長い円柱部（８２）からなるポンス（８）とを使用するハトメ取付方法であって、
前記ポンスの先端（８１）を生地に当てて予めハトメ取付用の穴をあけておく工程と、
前記ポンス（８）の下端を下にして前記下駒（１Ｂ，１Ｃ）の前記非貫通穴（１２Ｂ，１２Ｃ）に差し込む工程と、
前記下駒（１Ｂ，１Ｃ）の前記窪み（１１Ｂ，１１Ｃ）に座金（５）を置き、生地（４）の穴を前記ポンス（８）に差し込み、その上からハトメ（６）を被せる工程と、
前記ポンス（８）の露出している部分に前記上駒（２Ｂ，２Ｃ）を被せる工程と、
前記上駒（２Ｂ，２Ｃ）の頭部をハンマー（７）でたたく工程を有する
ことを特徴とするハトメ取付方法。
【発明の詳細な説明】
【技術分野】
【０００１】
本発明は、ハトメの取付方法、及びそれに使用する取付具に関する。主として、動力源を使用しないで、ハンマーと上下駒及び補助具のみを用いて人力でかしめる、小規模で簡便なタイプのものに関する。
【背景技術】
【０００２】
この種のハトメ取付方法は、小さな作業場や屋外でも使用可能であるので便利であるが、ハトメと座金を上下駒に正しくセットしてかしめるのは熟練を要する。従来技術としては、たとえば実公平３−１１２０９号が知られているが、これは座金を使用しないタイプであって、本発明の目的に添うものではない。
【発明の概要】
【発明が解決しようとする課題】
【０００３】
本発明は、ハトメと座金をハンマーと上下駒及び補助具のみを用いて主として人力でかしめる簡便な方法及びそれに使用する取付具を提供することを目的とする。
【課題を解決するための手段】
【０００４】
本発明は、第１の観点では、
下駒１，１Ａと、上駒２，２Ａと、前記下駒１，１Ａ及び前記上駒２，２Ａに挿入可能なパイロットピン３，３Ａを有するハトメ取付具であって、  
前記下駒１，１Ａは、上部表面に設けた、座金又はハトメを密着させることのできる下側窪み１１，１１Ａと、その下側窪み１１，１１Ａの中央に設けた下向きの細い円筒状の下側非貫通穴１２，１２Ａを有し、
前記上駒２，２Ａは、下部表面に設けた、ハトメ又は座金を密着させることのできる上側窪み２１，２１Ａと、その上側窪み２１，２１Ａの中央に設けた上向きの細い円筒状の上側穴２２，２２Ａを有し、
前記パイロットピン３，３Ａは、なだらかにふくらむ先端側の曲線部３２と、前記上下駒の円筒状穴１２，２２に密着する直径を有する、ほぼストレートな後端側の円柱部３３からなる
ことを特徴とする。
【０００５】
本発明は第２の観点では、
上部表面に設けた、座金又はハトメを密着させることのできる下側窪み１１，１１Ａと、その下側窪み１１，１１Ａの中央に設けた下向きの細い円筒状の下側非貫通穴１２，１２Ａを有する下駒１，１Ａと、
下部表面に設けた、ハトメ又は座金を密着させることのできる上側窪み２１，２１Ａと、その上側窪み２１，２１Ａの中央に設けた上向きの細い円筒状の上側穴２２，２２Ａを有する上駒２，２Ａと、
なだらかにふくらむ先端側の曲線部３２，３２Ａと、前記上下駒の円筒状穴１２，１２Ａ；２２，２２Ａに密着する直径を有する、ほぼストレートな後端側の円柱部３３，３３Ａからなるパイロットピン３，３Ａを使用するハトメ取付方法であって、  
前記パイロットピン３，３Ａの下端を下にして下駒の非貫通穴１２，１２Ａに差し込む工程と、
前記パイロットピン３，３Ａの上から生地４を押し当てパイロットピン３，３Ａの先端部で生地４を突き刺し貫通させる工程と、
いったん生地４付きの前記パイロットピン３，３Ａを前記非貫通孔１２，１２Ａから抜き取り、前記下駒１，１Ａの前記窪み１１，１１Ａに座金５を載置させる工程と、
生地付きの前記パイロットピン３，３Ａを再び前記下駒１，１Ａの前記非貫通穴１２，１２Ａに差し込み、生地４の上にハトメ６を載置する工程と、
前記パイロットピン３，３Ａの露出している部分に前記上駒２，２Ａを被せる工程と、
前記上駒２，２Ａの頭部をハンマー７でたたく工程を有する
ことを特徴とする。
【０００６】
第３の観点では、本発明は、
下駒１Ｂ，１Ｃと、上駒２Ｂ，２Ｃと、前記下駒１Ｂ，１Ｃ及び前記上駒２Ｂ，２Ｃに挿入可能なポンス８を有するハトメ取付具であって、  
前記下駒１Ｂ，１Ｃは、上部表面に設けた、座金又はハトメを密着させることのできる下側窪み１１Ｂ，１１Ｃと、その下側窪み１１Ｂ，１１Ｃの中央に設けた下向きの細い円筒状の下側非貫通穴１２Ｂ，１２Ｃを有し、
前記上駒２Ｂ，２Ｃは、下部表面に設けた、ハトメ又は座金を密着させることのできる上側窪み２１Ｂ，２１Ｃと、その上側窪み２１Ｂ，２１Ｃの中央に設けた上向きの細い円筒状の上側穴２２Ｂ，２２Ｃを有し、
前記ポンス８は、先端の穴開け部分８１と、前記上下駒の円筒状穴１２，２２に密着する直径を有する細長い円柱部８２からなる
ことを特徴とする。
【０００７】
第４の観点では、本発明は、
上部表面に設けた、座金５又はハトメ６を密着させることのできる下側窪み１１Ｂ，１１Ｃと、その下側窪み１１Ｂ，１１Ｃの中央に設けた下向きの細い円筒状の下側非貫通穴１２Ｂ，１２Ｃを有する下駒１Ｂ，１Ｃと、
下部表面に設けた、ハトメ又は座金を密着させることのできる上側窪み２１Ｂ，２１Ｃと、その上側窪み２１Ｂ，２１Ｃの中央に設けた上向きの細い円筒状の上側穴２２Ｂ，２２Ｃを有する上駒２Ｂ，２Ｃと、
先端の穴開け部分８１と、前記上下駒の円筒状非貫通穴１２Ｂ，１２Ｃ；２２Ｂ，２２Ｃに密着する直径を有する細長い円柱部８２からなるポンス８とを使用するハトメ取付方法であって、
前記ポンスの先端８１を生地に当てて予めハトメ取付用の穴をあけておく工程と、
前記ポンス８の下端を下にして前記下駒１Ｂ，１Ｃの前記非貫通穴１２Ｂ，１２Ｃに差し込む工程と、
前記下駒１Ｂ，１Ｃの前記窪み１１Ｂ，１１Ｃに座金５を置き、生地４の穴を前記ポンス８に差し込み、その上からハトメ６を被せる工程と、
前記ポンス８の露出している部分に前記上駒２Ｂ，２Ｃを被せる工程と、
前記上駒２Ｂ，２Ｃの頭部をハンマー７でたたく工程を有する
ことを特徴とする。
【発明の効果】
【０００８】
本発明によれば、ハトメと座金をハンマーと上下駒及び補助具（パイロットピンまたはポンス）のみを用いて主として人力でかしめる簡便な取付具及び取付方法が得られる。これらの道具は携帯も容易であり、小さな作業場でも屋外でも簡単にハトメを取り付けることができる。しかも、本発明の方法によれば、かしめる前にハトメと座金は位置決めされてぶれることがないので非熟練者でも簡単に正確に作業をすることができる。
【図面の簡単な説明】
【０００９】
【図１】（ａ）〜（ｄ）は本発明実施例１において、ハトメ取付を行う各工程を示す説明図である。
【図２】（ａ）〜（ｄ）は本発明実施例２において、ハトメ取付を行う各工程を示す説明図である。
【図３】（ａ）〜（ｄ）は本発明実施例３において、ハトメ取付を行う各工程を示す説明図である。
【図４】（ａ）〜（ｄ）は本発明実施例４において、ハトメ取付を行う各工程を示す説明図である。
【発明を実施するための形態】
【００１０】
以下、添付の図面に基づき本発明の実施例を説明する。
【実施例１】
【００１１】
この実施例１で使用するハトメ取付具は、上下駒１，２及びパイロットピン３のみを使用する。
【００１２】
下駒１は円柱、角柱などの形状を有する金型であり、上部表面に１個の座金を密着させることのできる下側窪み１１が設けられている。また、その下側窪み１１の中央に下向きの細い円筒状の下側非貫通穴１２が設けられている。
【００１３】
上駒２はやはり円柱、角柱などの形状を有する金型であり、下部表面に１個のハトメを密着させることのできる上側窪み２１が設けられている。また、その上側窪み２１の中央に上向きの細い円筒状の上側穴２２が設けられている。穴は、非貫通穴でも貫通穴でもよい。
【００１４】
パイロットピン３はキリや千枚通しの先端部のような形状の金属ピンである。先端部には平坦面３１を形成することが安全上好ましい。パイロットピンの先端側１／２〜１／３は生地に貫通させやすくするためになだらかにふくらむ曲線部３２となっており、後端側１／２〜２／３はほぼストレートな円柱部３３である。円柱部３３の太さは上下穴１２，２２の直径とほぼ同じであって、パイロットピン３を差し込んだときに、両者が密着してパイロットピン３がぶれないようにする。
【００１５】
使用方法について述べると、まず図１（ａ）に示すように、パイロットピン３の下端を下にして下駒の非貫通穴１２に差し込む。前記したとおり両者の直径はほぼ同じなので、パイロットピン３は安定的に下駒１から起立する。
【００１６】
その状態で、パイロットピン３の上から生地４を押し当て、腕の力で生地４を押し下げることにより、パイロットピン３の先端部で生地４を突き刺し貫通させて、位置決め用の穴をあける。
【００１７】
続いて、図１（ｂ）に示すように、いったん生地４付きのパイロットピン３を非貫通孔１２から抜き取り、下駒１の窪み１１に座金５を載置する。
【００１８】
その状態で、図１（ｃ）に示すように、生地付きのパイロットピン３を再び下駒１の非貫通穴１２に差し込み、生地４の上にハトメ６を載置する。
【００１９】
続いて、パイロットピン３の露出している部分に上駒２を被せる。パイロットピン３の円柱部３３と上駒の穴２２が密着するので、上駒２は安定的に起立する。このとき、上駒２の窪み２１とハトメ６が密着しているので、ハトメ６と座金５が上下駒１，２に対して正しい位置にセットされる。
【００２０】
この段階で、上駒２の頭部をハンマー７でたたくと、ハトメ６が生地に穴をあけると共に、ハトメ６と座金５が生地４に対して確実にかしめられる。すべての部品の位置が安定的に仮固定されているので、未経験者であっても正確にハトメを生地に取り付けることができる。
【実施例２】
【００２１】
図２に示すように、実施例１におけるハトメ６と座金５の位置を逆転させることもできる。すなわち、ハトメ６を生地４の下に、座金５を生地の上に設定することもできる。この場合、下駒１Ａの下側窪み１１，１１Ａはハトメ６の形状にそうものとし、上駒２Ａの上側窪み２１Ａを座金５の形状にそうものとする必要があるが、その他の点は実施例１と同様である。実施例２において、実施例１と同じ部品には同じ符号に「Ａ」を付して詳細な説明を省略する。
【実施例３】
【００２２】
この実施例３で使用するハトメ取付具は、上下駒１，２及び専用ポンス８のみを使用する。
【００２３】
上下駒１，２は実施例１で使用するものと同じである。
【００２４】
ポンス８は、生地４に対する穴開けと正確なかしめ作業ができるように改良した専用のものである。ポンス８先端は、やや先細りとなった穴開け部分８１となっている。ポンス本体は上下駒の円筒状穴１２，２２に密着する直径を有する細長い円柱部８２である。
【００２５】
使用方法について述べると、まず図２（ａ）に示すように、ポンスの先端８１を生地に当てて予めハトメ取付用の穴をあけておく。生地の下にゴム板９などの当て板を置いて作業する。
【００２６】
続いて、図２（ｂ）に示すように、ポンス８の下端を下にして下駒１の非貫通穴１２に差し込む。ポンスの円柱部８２と下駒１の非貫通孔１２が密着するので、ポンス８は安定的に下駒１から起立する。
【００２７】
その状態で、図２（ｃ）に示すように、下駒１の窪み１１に座金５を置き、生地４の穴をポンス８に差し込み、その上からハトメ６を被せる。
【００２８】
続いて、図２（ｄ）に示すように、ポンス８の露出している部分に上駒２を被せる。ポンス８の円柱部８２と上駒２の穴２２が密着するので、上駒２は安定的に起立する。このとき、上駒２の窪み２１とハトメ６が密着するので、ハトメ６と座金５が上下駒１，２に対して正しい位置にセットされる。
【００２９】
この段階で、上駒の頭部をハンマー７でたたくと、ハトメ６と座金５が生地４に対して確実にかしめられる。すべての部品の位置が安定的に仮固定されているので、未経験者であっても正確にハトメを生地に取り付けることができる。
【実施例４】
【００３０】
図４に示すように、実施例３におけるハトメ６と座金５の位置を逆転させることもできる。すなわち、ハトメ６を生地４の下に、座金５を生地の上に設定することもできる。この場合、下駒１Ｃの下側窪み１１Ｃはハトメ６の形状にそうものとし、上駒２Ｃの上側窪み２１Ｃを座金５の形状にそうものとする必要があるが、その他の点は実施例３と同様である。実施例４において、実施例３と同じ部品には同じ数字符号に「Ｃ」を付して詳細な説明を省略する。
【産業上の利用可能性】
【００３１】
上記実施例では、人力によるハトメのかしめを説明したが、本発明のハトメ取付具を自動ハトメ打ち機に取り付けることにより、自動化させることも可能である。
【先行技術文献】
【特許文献】
【００３２】
【特許文献１】実公平３−１１２０９
【符号の説明】
【００３３】
１     下駒
１１  下側窪み
１２   下側非貫通穴
２     上駒
２１  上側窪み
２２   上側穴
３     パイロットピン
３１   平坦面
３２   曲線部
３３   円柱部
４     生地
５     座金
６     ハトメ
７     ハンマー
８     ポンス
８１   平坦な先端部分
８２   円柱部
９     ゴム板
【図１】
2013104144.tif 000003
【図２】
2013104144.tif 000004
【図３】
2013104144.tif 000005
【図４】
2013104144.tif 000006